(57)【特許請求の範囲】
【請求項１】
電力供給源を複数の電力供給部の中から選択されるいずれかの電力供給部に切り替える電源切替部を備えた電気機器であって、
音声出力部と、
前記電源切替部が選択している電力供給源と当該電気機器の動作状態とに対応する音声情報を前記音声出力部に出力させる制御部と、
前記電源切替部が選択している電力供給源と当該電気機器の動作状態との組み合わせと当該各組み合わせに対応する音声情報とを記憶するサーバ装置と通信を行う第１通信部と、を備え、
前記制御部は、前記電源切替部が選択している電力供給源と当該電気機器の動作状態とに対応する音声情報を、前記第１通信部を介して前記サーバ装置から取得し、取得した音声情報を前記音声出力部に出力させ、
前記制御部は、前記サーバ装置から取得した音声情報を前記音声出力部に出力させる前に、取得した音声情報が当該電気機器の現在の状態に合致するかを判断し、合致する場合に前記音声出力部に出力させることを特徴とする電気機器。
【請求項２】
電力供給源を複数の電力供給部の中から選択されるいずれかの電力供給部に切り替える電源切替部を備えた電気機器であって、
音声出力部と、
前記電源切替部が選択している電力供給源と当該電気機器の動作状態とに対応する音声情報を前記音声出力部に出力させる制御部と、を備え、
前記制御部は、前記電源切替部が選択している電力供給源と、当該電気機器の動作状態と、複数の前記電力供給部の状態とに対応する音声情報を前記音声出力部に出力させ、
前記電源切替部が選択している電力供給源と、当該電気機器の動作状態と、複数の前記電力供給部の状態との組み合わせと、当該各組み合わせに対応する音声情報とを記憶するサーバ装置と通信を行う第１通信部を備え、
前記制御部は、前記電源切替部が選択している電力供給源と当該電気機器の動作状態と複数の前記電力供給部の状態とに対応する音声情報を、前記第１通信部を介して前記サーバ装置から取得し、取得した音声情報を前記音声出力部に出力させ、
前記制御部は、前記サーバ装置から取得した音声情報を前記音声出力部に出力させる前に、取得した音声情報が、当該電気機器および複数の前記電力供給部の現在の状態に合致するかを判断し、合致する場合に前記音声出力部に出力させることを特徴とする電気機器。
【請求項３】
前記複数の電力供給部の動作を管理する管理装置と通信を行う第２通信部を備え、
複数の前記電力供給部の状態を示す情報を、前記第２通信部を介して前記管理装置から取得することを特徴とする請求項２に記載の電気機器。
【発明の詳細な説明】
【技術分野】
【０００１】
本発明は、ユーザに情報を報知する機能を備えた電気機器に関するものである。
【背景技術】
【０００２】
従来、ユーザに情報を報知する機能を備えた電気機器が開発されている。
【０００３】
例えば、特許文献１には、運転変更命令に音声で応答する音声応答報知を行う空気調和機が開示されている。また、特許文献２には、空気調和機に対して室外および室内から通信可能な外部操作端末と室内から通信可能なリモコンとを備え、操作された操作端末および操作された場所に応じて異なる音声を発する空気調和機が開示されている。
【０００４】
また、近年、商用電源や太陽光発電システムなどの複数の電力供給源から供給される電力を選択的に用いて動作する電気機器が開発されている。
【０００５】
例えば、特許文献３には、商用電源からの交流を整流回路で直流に変換した電力と太陽電池からの直流電力とが供給されるインバータ回路を備えたルームエアコンと、太陽電池で発電された電力をルームエアコンの負荷状態に応じて制御するＤＣ／ＤＣコンバータと、太陽電池の発電電力の余剰時に電力会社に売電を行うインバータとを備えたルームエアコン（空気調和機）が開示されている。
【先行技術文献】
【特許文献】
【０００６】
【特許文献１】特開２０１５−７５３０６号公報（２０１５年４月２０日公開）
【特許文献２】特開２０１５−１１１０２１号公報（２０１５年６月１８日公開）
【特許文献３】特開平９−２４３１３６号公報（１９９７年９月１６日公開）
【発明の概要】
【発明が解決しようとする課題】
【０００７】
しかしながら、上記特許文献３の技術では、太陽電池発電電力およびエアコン消費電力に基づいて太陽電池発電電力および商用電源電力の使用比率を自動的に制御することにより太陽電池発電電力の有効利用を図ることができるものの、ユーザが太陽電池発電電力および商用電源電力の使用状態を把握することができない。このため、例えば、ユーザがより省エネルギ効果の高い運転状態で空気調和機を運転させたい場合などに、適切な操作を行えないという問題がある。
【０００８】
また、上記特許文献１，２では、ユーザが行った操作に応じた報知が行われるものの、複数の電力供給源から電力が供給されることについては考慮されていない。このため、特許文献１，２には、複数の電力供給源から供給される電力の使用状態をユーザに報知することができない。
【０００９】
本発明は、上記の問題点に鑑みて成されたものであり、その目的は、複数の電力供給部から供給される電力を選択的に用いる電気機器において、ユーザが電力の使用状態を容易に把握できるようにすることにある。
【課題を解決するための手段】
【００１０】
本発明の一態様にかかる電気機器は、電力供給源を複数の電力供給部の中から選択されるいずれかの電力供給部に切り替える電源切替部を備えた電気機器であって、音声出力部と、前記電源切替部が選択している電力供給部と当該電気機器の動作状態とに対応する音声情報を前記音声出力部に出力させる制御部とを備えていることを特徴としている。
【発明の効果】
【００１１】
上記の構成によれば、電気機器の電源切替部が選択している当該電気機器の電力供給源と当該電気機器の動作状態とに対応する音声情報をユーザに報知することができる。したがって、ユーザが電気機器における電力の使用状態を電気機器の動作状態に応じたタイミグで容易かつ適切に把握することができる。
【図面の簡単な説明】
【００１２】
【図１】本発明の実施形態１にかかる電気機器を備えた電気機器管理システムの概略構成を示す説明図である。
【図２】図１に示した電気機器に備えられる発光部の構成を示す説明図である。
【図３】図１に示した電気機器管理システムにおける処理の流れを示すフローチャートである。
【図４】図１に示した電気機器管理システムのサーバ装置に記憶されている情報の一例を示す説明図である。
【図５】本発明の実施形態２にかかる電気機器管理システムにおける処理の流れを示すフローチャートである。
【発明を実施するための形態】
【００１３】
〔実施形態１〕
本発明の一実施形態について説明する。
【００１４】
（１−１．空調管理システム１００の構成）
図１は、本実施形態にかかる空調管理システム（電気機器管理システム）１００の概略構成を示す説明図である。この図に示すように、空調管理システム１００は、空気調和機（電気機器）１、商用電源（電力供給部）２、自家発電装置（電力供給部）３、蓄電装置（電力供給部）４、ＨＥＭＳ制御部（管理装置）５、およびサーバ（サーバ装置）６を備えている。
【００１５】
なお、本実施形態では、本発明を電気機器の一種である空気調和機１に適用する場合の例について説明するが、本発明の適用対象はこれに限るものではなく、複数の電力供給源から供給される電力のうちのいずれかを選択的に用いて動作する電気機器であれば適用できる。例えば、本発明は、給湯装置、冷蔵庫、テレビ、洗濯機、照明装置、送風機、除湿機、加湿機、空気清浄機、暖房器具、調理器具、洗浄装置、清掃装置などの電気機器を管理する電気機器管理システムに適用することもできる。
【００１６】
ＨＥＭＳ（Home Energy Management System）制御部５は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に記憶されている各種情報および各種制御を実施するためのプログラムを実行することにより、ＨＥＭＳによる制御対象とされる各家電機器（本実施形態では空気調和機１）への配電を制御する。また、ＨＥＭＳ制御部５は、ＨＥＭＳによる制御対象とされる各家電機器に対して、蓄電装置４の蓄電量、自家発電装置３の発電量あるいは自家発電装置３からの電力供給の可否を示す情報、および自家発電装置３で発電した電力の電力会社等に対する売電状況を示す情報などを含むＨＥＭＳ情報を送信する。
【００１７】
商用電源２は、電力会社等から供給される商用電力（交流電力）を受電し、ＨＥＭＳによる制御対象とされる各家電機器に供給する。
【００１８】
自家発電装置３は、自身で発電した電力（直流電力）を、ＨＥＭＳによる制御対象とされる各家電機器に供給する。なお、本実施形態では自家発電装置３として太陽光発電装置を用いるが、これに限らず、例えば、風力発電機、水力発電機、地熱発電機、燃料電池発電機、内燃機関発電機などを用いてもよい。
【００１９】
蓄電装置４は、自家発電装置３が発電した電力の余剰分や、深夜等の電力料金が安い時間帯に商用電源２が受電した電力などを蓄電する。また、蓄電装置４は、蓄電した電力をＨＥＭＳによる制御対象とされる各家電機器に供給する。蓄電装置４に備えられる蓄電池としては、例えば、リチウムイオン電池、ニッケル水素電池、ＮＡＳ（ナトリウム−硫黄）電池などを用いることができる。
【００２０】
サーバ６は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に、（ｉ）空気調和機１の運転状態、（ｉｉ）空気調和機１に対する電力供給源、および（ｉｉｉ）商用電源２、自家発電装置３、および蓄電装置４の状態などを示す報知条件情報と、上記報知情報条件に応じて予め設定された報知情報とを報知情報条件毎に対応付けて記憶している。そして、空気調和機１から受信した報知情報条件に対応する報知情報を上記記憶部から読み出して空気調和機１に送信する。
【００２１】
空気調和機１は、制御部１１、電源切替部１２、空気調和部１３、操作入力部１４、室温センサ１５、外気温センサ１６、湿度センサ１７、照度センサ１８、発光部１９、音声出力部２０、ＨＥＭＳ通信部（第２通信部）２１、および外部通信部（第１通信部）２２を備えており、所定の調節対象空間の温度および湿度の少なくとも一方を調節する。
【００２２】
制御部１１は、ＣＰＵや専用プロセッサなどの演算処理部、および、ＲＡＭ、ＲＯＭ、ＨＤＤなどの記憶部（いずれも図示せず）などにより構成されるコンピュータ装置である。この制御部１１は、（ｉ）上記記憶部に記憶されている各種情報および各種制御を実施するためのプログラム、（ｉｉ）操作入力部１４を介して入力されるユーザからの指示、（ｉｉｉ）室温センサ１５、外気温センサ１６、湿度センサ１７、および照度センサ１８の検知結果、（ｉｖ）ＨＥＭＳ通信部２１を介してＨＥＭＳ制御部５から取得した情報、および（ｖ）外部通信部２２を介してサーバ６から取得した情報などに応じて、空気調和機１の各部の動作を制御する。
【００２３】
電源切替部１２は、ＡＣ／ＤＣコンバータ１２ａ、ＤＣ／ＤＣコンバータ１２ｂ、およびＤＣ／ＤＣコンバータ１２ｃを備えている。ＡＣ／ＤＣコンバータ１２ａは、商用電源２から供給される交流電力（ＡＣ電力）を、空気調和機１の各部の使用電圧に応じた直流電力（ＤＣ電力）に変換して空気調和機１の各部に供給する。ＤＣ／ＤＣコンバータ１２ｂは、自家発電装置３から供給される直流電力を空気調和機１の各部の使用電圧に応じた直流電力に変換して空気調和機１の各部に供給する。ＤＣ／ＤＣコンバータ１２ｃは、蓄電装置４から供給される直流電力を空気調和機１の各部の使用電圧に応じた直流電力に変換して空気調和機１の各部に供給する。
【００２４】
空気調和部１３は、室外機および室内機を備えており（いずれも図示せず）、制御部１１の指示に応じてこれら各装置の動作を制御することで、室内機が備えられている空間（調節対象空間）の温度および湿度の少なくとも一方を調整する。
【００２５】
操作入力部１４は、リモコンあるいは室内機に備えられる操作ボタン（いずれも図示せず）を介して入力されるユーザから指示を受け付け、制御部１１に伝達する。上記指示としては、例えば、電源のオン／オフ指示、空気調和機１の動作モードの変更指示、温度設定指示、風量設定指示、風向設定指示、湿度設定指示、タイマー設定指示などが挙げられる。
【００２６】
室温センサ１５は、室内機（図示せず）が備えられている室内空間の温度を検出し、制御部１１に伝達する。外気温センサ１６は、室外機（図示せず）が備えられている室外空間の温度を検出し、制御部１１に伝達する。湿度センサ１７は、室内機（図示せず）が備えられている室内空間の湿度を検出し、制御部１１に伝達する。照度センサ１８は、室内機（図示せず）が備えられている室内空間の照度を検出し、制御部１１に伝達する。
【００２７】
発光部１９は、室内機に備えられている発光手段の発光状態を変化させることにより、ユーザに各種情報を報知する。
【００２８】
図２は、発光部１９の一例を示す説明図である。この図に示す例では、発光部１９は、空気調和機１の室内機の外面に配置される透光性パネル３０を備えている。透光性パネル３０には、蓄電装置４からの供給電力で運転中であることを示す蓄電池表示部３１と、自家発電装置３（本実施形態では太陽光発電装置）からの供給電力で運転中であることを示す自家発電表示部３２とが設けられている。また、蓄電池表示部３１の裏面および自家発電表示部３２の裏面には、それぞれＬＥＤ（Light Emitting Diode）等の発光手段が配置されている。
【００２９】
これにより、制御部１１が、蓄電装置４からの供給電力で運転中である場合には蓄電池表示部３１の裏面の発光手段を発光させ、自家発電装置３からの供給電力で運転中である場合には自家発電表示部３２の裏面の発光手段を発光させることで、ユーザに供給電力源を報知する。なお、エラー発生時に制御部１１が各発光手段を点滅させるなどしてユーザに報知するようにしてもよい。また、蓄電池表示部３１および自家発電表示部３２に加えて、商用電源２からの供給電力で運転中であることを示す商用電源表示部と、この商用電源表示部の裏面に配置された発光手段とを設けてもよい（いずれも図示せず）。
【００３０】
音声出力部２０は、制御部１１からの指示に応じた音声を出力することにより、ユーザに空気調和機１の動作状態に応じた情報等を音声出力（報知）する。
【００３１】
ＨＥＭＳ通信部２１は、ＨＥＭＳ制御部５との間で定期的に通信を行い、空気調和機１の動作状態を示す情報をＨＥＭＳ制御部５に送信するとともに、ＨＥＭＳ制御部５から空気調和機１に対する電力供給源を示す情報や蓄電装置４の蓄電量を示す情報などを受信する。ＨＥＭＳ通信部２１とＨＥＭＳ制御部５との間の通信方法は特に限定されるものではないが、例えばＨＥＭＳを構築するための通信規格であるＥＣＨＯＮＥＴＬｉｔｅ（エコーネットライト、登録商標）などを用いることができる。
【００３２】
外部通信部２２は、通信ネットワークに接続されたサーバ６との間で通信を行い、サーバ６から空気調和機１の動作状態等を示す報知情報条件に対応する報知情報を取得する。上記通信ネットワークとしては、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等の通信ネットワークを用いることができる。
【００３３】
（１−２．空調管理システム１００の動作）
図３は、空調管理システム１００における処理の流れを示すフローチャートである。
【００３４】
まず、空気調和機１の制御部１１は、操作入力部１４を介してユーザからの運転指示を受け付けると（Ｓ１）、空気調和機１の各部を制御して空気調和機１の内部情報を取得する（Ｓ２）。
【００３５】
上記内部情報には、例えば、ユーザから指示された運転モード（例えば、冷房モード、暖房モード、送風モード、除湿モードなど）、運転モードが蓄電装置４からの供給電力で運転可能なモードであるか否か、空気調和機１のエラー発生状況、各センサの検知結果などが含まれる。
【００３６】
また、空気調和機１の制御部１１は、ＨＥＭＳ通信部２１の動作を制御し、ＨＥＭＳ制御部５から定期的に送信されてくるＨＥＭＳ情報を受信する（Ｓ３）。なお、ＨＥＭＳ通信部２１がＨＥＭＳ制御部５に対してＨＥＭＳ情報の送信要求を行い、ＨＥＭＳ制御部５が当該送信要求に対する応答としてＨＥＭＳ情報を返信するようにしてもよい。
【００３７】
上記ＨＥＭＳ情報には、例えば、蓄電装置４の蓄電量、自家発電装置３からの電力供給の可否を示す情報（ＤＣ運転許可禁止情報）、自家発電装置３で発電した電力の電力会社等に対する売電状況、および自家発電装置３の発電量を示す情報などが含まれる。
【００３８】
ＨＥＭＳ制御部５は、ＨＥＭＳに接続された各装置から取得した当該各装置の動作状態を示す情報等に基づいてＨＥＭＳ情報を生成し（Ｓ１０１）、生成したＨＥＭＳ情報をＨＥＭＳに接続された各装置に送信する（Ｓ１０２）。また、ＨＥＭＳ制御部５は、ＨＥＭＳ情報を送信してから所定時間が経過したか否かを判断し（Ｓ１０３）、所定時間が経過した場合にはＳ１０１の処理に戻る。また、Ｓ１０３において所定時間が経過いていないと判断した場合、動作を終了するか否かを判断し（Ｓ１０４）、終了しない場合にはＳ１０３の処理を継続する。これにより、ＨＥＭＳに接続された各装置に対してＨＥＭＳ情報が定期的に送信される。なお、ＨＥＭＳ制御部５は、例えばユーザから動作終了指示があった場合に動作を終了する。
【００３９】
その後、空気調和機１の制御部１１は、Ｓ２で取得した空気調和機１の内部情報、およびＳ３で取得したＨＥＭＳ情報に基づいて、（ｉ）空気調和機１を動作させるための電力供給源（商用電源２、自家発電装置３、および蓄電装置４のいずれから供給される電力を用いるか）、（ｉｉ）商用電源２、自家発電装置３、および蓄電装置４の状態、および（ｉｉｉ）空気調和機１の各部の動作条件を含む報知情報条件を決定する（Ｓ４）。
【００４０】
なお、空気調和機１は、ＨＥＭＳ制御部５から定期的に送信されてくるＨＥＭＳ情報に含まれる商用電源２、自家発電装置３、および蓄電装置４の状態と、空気調和機１自身の運転状態とに応じて、適切な電力供給源を選択する。
【００４１】
電力供給源の選択方法は、特に限定されるものではないが、例えば、商用電源２、自家発電装置３、および蓄電装置４に予め優先順位を設定しておき、空気調和機１の制御部１１が、ＨＥＭＳ情報で特定される利用可能な電力供給源のうち、空気調和機１の運転状態に適合し、かつ優先順位が最も高い電力供給源を選択するようにしてもよい。
【００４２】
また、空気調和機１の動作条件については、空気調和機１の制御部１１が、操作入力部１４を介して入力されるユーザからの指示、および空気調和機１に備えられる各センサの検出結果等に基づいて適宜設定すればよい。
【００４３】
次に、空気調和機１の制御部１１は、外部通信部２２の動作を制御し、Ｓ４で決定した報知情報条件を含む報知情報送信要求をサーバ６に送信する（Ｓ５）。
【００４４】
サーバ６は、空気調和機１から報知情報送信要求を受信すると（Ｓ２０１）、上記記憶部に記憶している情報の中から、受信した報知情報送信要求に含まれる報知情報条件に対応する報知情報を検索する（Ｓ２０２）。そして、サーバ６は、Ｓ２０２で検索した報知情報を、報知情報送信要求を送信してきた空気調和機１に送信し（Ｓ２０３）、処理を終了する。
【００４５】
その後、空気調和機１の制御部１１は、サーバ６から報知情報を受信し（Ｓ６）、受信した報知情報に応じた報知処理を行う（Ｓ７）。そして、空気調和機１の制御部１１は、空気調和機１の運転を終了するか否かを判断し（Ｓ８）、終了しない場合にはＳ１の処理に戻る。
【００４６】
（１−３．報知情報の例）
図４は、サーバ６に記憶されている、空気調和機１に対する電力供給源を示す情報、空気調和機１の動作条件を示す情報、および自家発電装置３および蓄電装置４の状態を示す情報に対応する報知情報の例を示す説明図である。
【００４７】
この図に示すように、サーバ６には、空気調和機１に対する電力供給源を示す情報、空気調和機１の動作条件を示す情報、および自家発電装置３および蓄電装置４の状態を示す情報の組み合わせと、当該各組み合わせに対応する報知情報とが記憶されている。なお、上記報知情報としては、例えば、エネルギの使用状態やエネルギを効率よく使用するための方法（空気調和機１のエネルギ消費量を低減させるための動作設定方法）に関するアドバイスなどをユーザに音声で報知するための音声情報が記憶されている。
【００４８】
具体的には、空気調和機１の運転開始時には、空気調和機１に対する電力供給源をユーザに報知するための音声出力（「自家発電の電力で運転します」、「蓄電池の電力で運転します」、あるいは「商用電源の電力で運転します」）を行わせるための報知情報が設定されている。
【００４９】
また、空気調和機１の運転中には、電力供給源の状態の変化や空気調和機１に対する電力供給源の切り替えを示す報知情報が設定されている。
【００５０】
例えば、蓄電装置４からの供給電力による動作中に蓄電装置４の蓄電量が第１所定値以下に低下した場合には、「蓄電装置の蓄電量が少なくなりました。エネルギを効率よく使用するためには、エコ自動運転がおすすめです。」という音声出力を行わせるための報知情報が対応付けられている。
【００５１】
なお、エコ自動運転とは、空気調和機１の制御部１１が各センサの検出結果等に応じて空気調和機１を通常動作時よりもエネルギ消費量を抑制できるように自動制御する動作モードである。エコ自動運転では、例えば、（１）運転開始時以外は出力を抑えた運転を行う、（２）冷房時は湿度が低い場合に設定温度を上げ、暖房時は湿度が高い場合に設定温度を下げる、（３）冷房時は日差しが弱くなると設定温度を上げ、暖房時は日差しが強くなると設定温度を下げる、（４）就寝時など照明を消すと省エネ運転を行なう、といった制御が行われる。
【００５２】
また、自家発電装置３からの供給電力による動作中に自家発電装置３の発電量が第２所定値以下に低下した場合には、「自家発電の発電量が低下しました。商用電源の電力に切り替えます。」という音声出力を行わせるための報知情報が対応付けられている。
【００５３】
また、蓄電装置４からの供給電力による動作中、あるいは商用電源２からの供給電力による動作中に、自家発電装置３の発電量が第３所定値以上に上昇した場合には、「自家発電の発電量が増加しました。自家発電の電力に切り替えます。」という音声出力を行わせるための報知情報が対応付けられている。
【００５４】
また、空気調和機１の運転終了時には、運転終了前に用いていた電力供給源に応じた報知情報が設定されている。
【００５５】
例えば、自家発電装置３からの供給電力、あるいは蓄電装置４からの供給電力によって動作していた場合、「運転を終了します。今回はエコなエネルギで運転できました。」という音声出力を行わせるための報知情報が対応付けられている。
【００５６】
また、空気調和機１の運転終了時であって、商用電源２からの供給電力によって動作していた場合、「運転を終了します。」という音声出力を行わせるための報知情報が対応付けられている。
【００５７】
（１−４．実施形態１のまとめ）
以上のように、本実施形態にかかる空調管理システム１００では、空気調和機１の制御部１１が、（ｉ）いずれの電力供給源を用いているか、（ｉｉ）空気調和機１自身の運転状態、および（ｉｉｉ）商用電源２、自家発電装置３、および蓄電装置４の状態に対応する報知情報をサーバ６から取得し、取得した報知情報に基づく音声出力を行う。また、上記報知情報には、空気調和機１が用いている電力供給源を報知するための情報、電力供給源の切り替えを報知するための情報、効率的にエネルギを使用するための使い方に関するアドバイスを報知するための情報などが含まれている。
【００５８】
これにより、ユーザの省エネ意識を向上させるとともに、エネルギ効率の高い使用方法をユーザに報知することができる。
【００５９】
なお、本実施形態では、上記（ｉ）〜（ｉｉｉ）の組み合わせ毎に報知情報を設定しているが、これに限るものではない。例えば、上記（ｉ）〜上記（ｉｉｉ）のうちのいずれか１つ以上の組み合わせ毎に報知情報を設定しておき、制御部１１が報知処理を行う際の状況に応じた報知情報をサーバ６から取得して報知処理を行うようにしてもよい。
【００６０】
また、本実施形態では、空気調和機１とサーバ６とが通信ネットワークを介して通信可能に接続されている構成について説明したが、これに限るものではない。例えば、サーバ６に記憶させていた報知情報を空気調和機１に備えられる記憶部（図示せず）に記憶させておき、制御部１１が報知情報条件に対応する報知情報を上記記憶部から読み出すようにしてもよい。また、サーバ６に記憶させていた報知情報をＨＥＭＳ制御部５あるいはＨＥＭＳ制御部５と通信可能に接続される装置に記憶させておき、制御部１１が報知情報条件に対応する報知情報をＨＥＭＳ制御部５から取得するようにしてもよい。
【００６１】
〔実施形態２〕
本発明の他の実施形態について説明する。なお、説明の便宜上、上述した実施形態と同じ機能を有する部材については同じ符号を付し、その説明を省略する。
【００６２】
図５は、本実施形態にかかる空調管理システム１００における処理の流れを示すフローチャートである。
【００６３】
実施形態１では、空気調和機１がＳ６でサーバ６から報知情報を受信する毎に、Ｓ７において受信した報知情報に基づく報知処理を行う構成について説明した。
【００６４】
これに対して、本実施形態では、図５に示すように、空気調和機１の制御部１１は、Ｓ６でサーバ６から報知情報を受信すると、空気調和機１の内部情報を再取得するとともに（Ｓ６ａ）、ＨＥＭＳ制御部５からＨＥＭＳ情報を再受信する（Ｓ６ｂ）。そして、Ｓ６ａで再取得した内部情報およびＳ６ｂで再受信したＨＥＭＳ情報に基づいて、報知情報条件を最設定する必要があるか否かを判断する（Ｓ６ｃ）。なお、Ｓ６ｂの処理を省略するとともに、Ｓ６ｃにおいて、Ｓ６ａで再取得した内部情報に基づいて報知情報条件を最設定する必要があるか否かを判断するようにしてもよい。
【００６５】
そして、Ｓ６ｃにおいて再設定は不要であると判断した場合、制御部１１は、Ｓ６で受信した報知情報に応じた報知処理を行う（Ｓ７）。
【００６６】
一方、Ｓ６ｃにおいて再設定が必要であると判断した場合、制御部１１は、Ｓ４に戻って報知情報条件を再設定し、再設定した報知情報条件に対応するサーバ６から報知情報を再取得する。
【００６７】
このように、本実施形態では、空気調和機１の制御部１１は、サーバ６から報知情報を受信すると、受信した報知情報が空気調和機１、商用電源２、自家発電装置３、および蓄電装置４の現在の状態に対応する報知情報条件に合致するものであるか否かを判断し、合致する場合にのみ報知処理を行う。すなわち、サーバ６に報知情報送信要求を送信してからサーバ６から返信される報知情報を受信（ダウンロード）するまでの期間に、空気調和機１、商用電源２、自家発電装置３、あるいは蓄電装置４の状態が変化している場合があるので、制御部１１は、サーバ６から受信した報知情報が現在の状態に応じたものであるか否かを確認する。
【００６８】
これにより、サーバ６に報知情報送信要求を送信した後に、空気調和機１、商用電源２、自家発電装置３、あるいは蓄電装置４の状態が変化した場合であっても、不適切な報知処理が行われることを防止することができる。
【００６９】
〔実施形態３〕
本発明のさらに他の実施形態について説明する。なお、説明の便宜上、上述した実施形態と同じ機能を有する部材については同じ符号を付し、その説明を省略する。
【００７０】
上述した実施形態では、空気調和機１が利用する電力供給源を切り替える構成について説明した。これに対して、本実施形態では、ＨＥＭＳ制御部５が空気調和機１に対する電力供給源の切り替えを行い、空気調和機１に対して電力供給源を特定するための情報を送信する。そして、空気調和機１の制御部１１は、ＨＥＭＳ制御部５から入力される情報に基づいて特定される自機に対する電力供給源と自機の動作状態とに対応する報知情報をサーバ６から取得して音声出力を行う。
【００７１】
なお、家庭用コンセントに対する電力供給源をＨＥＭＳ制御部５が商用電源２と自家発電装置３とに切り替え可能な構成とし、空気調和機１の室内機を常に家庭用コンセントに接続するとともに、室外機が室内機から供給される電力を使用するか蓄電装置４から供給される電力を使用するかを切り替える構成としてもよい。
【００７２】
この場合、空気調和機１の制御部１１は、ＨＥＭＳ制御部５から伝達される情報に基づいて家庭用コンセントを介して自装置に供給される電力の電力供給源が商用電源２であるのか自家発電装置３であるのかを判断する。また、空気調和機１の制御部１１は、ＨＥＭＳ制御部５から伝達される情報に基づいて、室外機の電力として、室内機から供給される電力を使用するか、蓄電装置４から供給される電力を使用するかを切り替える。
【００７３】
〔実施形態４〕
本発明のさらに他の実施形態について説明する。なお、説明の便宜上、上述した実施形態と同じ機能を有する部材については同じ符号を付し、その説明を省略する。
【００７４】
実施形態３に示した構成において、ＨＥＭＳに空気調和機１に加えて複数の家電機器（例えば、空気調和機、給湯装置、冷蔵庫、テレビ、洗濯機、照明装置、送風機、除湿機、加湿機、空気清浄機、暖房器具、調理器具、洗浄装置、清掃装置など）が接続されており、ＨＥＭＳ制御部５が、空気調和機１および上記各家電機器の動作状態に応じて空気調和機１に対する電力供給源を制御するようにしてもよい。
【００７５】
〔まとめ〕
本発明の態様１にかかる電気機器（空気調和機１）は、電力供給源を複数の電力供給部（商用電源２、自家発電装置３、蓄電装置４）の中から選択されるいずれかの電力供給部に切り替える電源切替部１２を備えた電気機器（空気調和機１）であって、音声出力部２０と、前記電源切替部１２が選択している電力供給源と当該電気機器（空気調和機１）の動作状態とに対応する音声情報を前記音声出力部２０に出力させる制御部１１とを備えていることを特徴としている。
【００７６】
上記の構成によれば、電気機器（空気調和機１）の電源切替部１２が選択している当該電気機器（空気調和機１）の電力供給源と当該電気機器（空気調和機１）の動作状態とに対応する音声情報をユーザに報知することができる。したがって、ユーザが電気機器（空気調和機１）における電力の使用状態を電気機器（空気調和機１）の動作状態に応じたタイミグで容易かつ適切に把握することができる。
【００７７】
本発明の態様２にかかる電気機器（空気調和機１）は、上記態様１において、前記電源切替部１２が選択している電力供給源と当該電気機器（空気調和機１）の動作状態との組み合わせと当該各組み合わせに対応する音声情報とを記憶するサーバ装置（サーバ６）と通信を行う第１通信部（外部通信部２２）を備え、前記制御部１１は、前記電源切替部１２が選択している電力供給源と当該電気機器（空気調和機１）の動作状態とに対応する音声情報を、前記第１通信部を介して前記サーバ装置（サーバ６）から取得し、取得した音声情報を前記音声出力部２０に出力させる構成である。
【００７８】
上記の構成によれば、電源切替部１２が選択している電力供給源と当該電気機器（空気調和機１）の動作状態との組み合わせと当該各組み合わせに対応する音声情報とをサーバ装置（サーバ６）に記憶させることにより、電気機器（空気調和機１）に記憶させておく場合に比べて電気機器（空気調和機１）の構成を簡略化できる。また、音声情報をサーバ装置に記憶させておくことにより、音声情報の更新や管理を容易に行うことができる。
【００７９】
本発明の態様３にかかる電気機器（空気調和機１）は、上記態様１において、前記制御部１１は、前記電源切替部１２が選択している電力供給源と、当該電気機器（空気調和機１）の動作状態と、複数の前記電力供給部（商用電源２、自家発電装置３、蓄電装置４）の状態とに対応する音声情報を前記音声出力部２０に出力させる構成である。
【００８０】
上記の構成によれば、電気機器（空気調和機１）の電源切替部１２が選択している当該電気機器（空気調和機１）の電力供給源と、当該電気機器（空気調和機１）の動作状態と、複数の前記電力供給部（商用電源２、自家発電装置３、蓄電装置４）の状態とに対応する音声情報をユーザに報知することができる。これにより、電源切替部１２が選択している電力供給源と、当該電気機器（空気調和機１）の動作状態と、複数の前記電力供給部（商用電源２、自家発電装置３、蓄電装置４）の状態とに対応する音声情報をユーザに報知することができる。
【００８１】
本発明の態様４にかかる電気機器（空気調和機１）は、上記態様３において、前記電源切替部１２が選択している電力供給源と、当該電気機器（空気調和機１）の動作状態と、複数の前記電力供給部（商用電源２、自家発電装置３、蓄電装置４）の状態との組み合わせと、当該各組み合わせに対応する音声情報とを記憶するサーバ装置（サーバ６）と通信を行う第１通信部（外部通信部２２）を備え、前記制御部１１は、前記電源切替部１２が選択している電力供給源と当該電気機器（空気調和機１）の動作状態と複数の前記電力供給部（商用電源２、自家発電装置３、蓄電装置４）の状態とに対応する音声情報を、前記第１通信部（外部通信部２２）を介して前記サーバ装置（サーバ６）から取得し、取得した音声情報を前記音声出力部２０に出力させる構成である。
【００８２】
上記の構成によれば、前記電源切替部１２が選択している電力供給源と、当該電気機器（空気調和機１）の動作状態と、複数の前記電力供給部（商用電源２、自家発電装置３、蓄電装置４）の状態との組み合わせと、当該各組み合わせに対応する音声情報とをサーバ装置（サーバ６）に記憶させることにより、電気機器（空気調和機１）に記憶させておく場合に比べて電気機器（空気調和機１）の構成を簡略化できる。また、音声情報をサーバ装置に記憶させておくことにより、音声情報の更新や管理を容易に行うことができる。
【００８３】
本発明の態様５にかかる電気機器（空気調和機１）は、上記態様３または４において、前記複数の電力供給部（商用電源２、自家発電装置３、蓄電装置４）の動作を管理する管理装置（ＨＥＭＳ制御部５）と通信を行う第２通信部（ＨＥＭＳ通信部２１）を備え、複数の前記電力供給部（商用電源２、自家発電装置３、蓄電装置４）の状態を示す情報を、前記第２通信部（ＨＥＭＳ通信部２１）を介して前記管理装置（ＨＥＭＳ制御部５）から取得する構成である。
【００８４】
上記の構成によれば、複数の電力供給部（商用電源２、自家発電装置３、蓄電装置４）の状態を示す情報を容易かつ適切に取得することができる。
【００８５】
本発明の態様６にかかる電気機器（空気調和機１）は、上記態様１から５のいずれかにおいて、前記音声情報には、当該電気機器（空気調和機１）におけるエネルギ消費量を低減させるための当該電気機器（空気調和機１）の動作設定方法をユーザに報知するための情報が含まれている構成である。
【００８６】
上記の構成によれば、エネルギ消費量を低減させるための電気機器（空気調和機１）の動作設定方法をユーザに報知することができる。
【００８７】
本発明の態様７にかかる電気機器（空気調和機１）は、上記態様１から６のいずれかにおいて、前記複数の電力供給部には、商用電源２と、自家発電装置３と、蓄電装置４とが含まれている構成である。
【００８８】
上記の構成によれば、電力供給源を、商用電源２、自家発電装置３、および蓄電装置の中から選択的に切り替える構成の電気機器において、電気機器（空気調和機１）の電源切替部１２が選択している電力供給源と当該電気機器（空気調和機１）の動作状態とに対応する音声情報をユーザに報知することができる。
【００８９】
本発明の態様８にかかる電気機器（空気調和機１）は、上記態様１から７のいずれかにおいて、前記電気機器（空気調和機１）は、所定の調節対象空間の温度および湿度の少なくとも一方を調節する空気調和機である構成である。
【００９０】
上記の構成によれば、電力供給源を複数の電力供給部の中から選択的に切り替える構成の空気調和機において、電気機器（空気調和機１）の電源切替部１２が選択している電力供給源と当該電気機器（空気調和機１）の動作状態とに対応する音声情報をユーザに報知することができる。
【００９１】
本発明の態様９にかかる電気機器管理システム（空調管理システム１００）は、上記態様２に記載の電気機器と、前記電源切替部１２が選択している電力供給源と当該電気機器（空気調和機１）の動作状態との組み合わせと当該各組み合わせに対応する音声情報とを記憶するサーバ装置（サーバ６）とを備えている構成である。
【００９２】
上記の構成によれば、電気機器（空気調和機１）の電源切替部１２が選択している当該電気機器（空気調和機１）の電力供給源と当該電気機器（空気調和機１）の動作状態とに対応する音声情報をユーザに報知することができる。また、電源切替部１２が選択している電力供給源と当該電気機器（空気調和機１）の動作状態との組み合わせと当該各組み合わせに対応する音声情報とを電気機器（空気調和機１）に記憶させておく場合に比べて、電気機器（空気調和機１）の構成を簡略化できる。
【００９３】
本発明の態様１０にかかる電気機器管理システム（空調管理システム１００）は、上記態様９において、前記サーバ装置（サーバ６）は、前記電源切替部１２が選択している電力供給源と、当該電気機器（空気調和機１）の動作状態と、複数の前記電力供給部（商用電源２、自家発電装置３、蓄電装置４）の状態との組み合わせと、当該各組み合わせに対応する音声情報とを記憶しており、前記制御部１１は、前記電源切替部１２が選択している電力供給部と、当該電気機器（空気調和機１）の動作状態と、複数の前記電力供給部（商用電源２、自家発電装置３、蓄電装置４）の状態とに対応する音声情報を、前記第１通信部（外部通信部２２）を介して前記サーバ装置（サーバ６）から取得し、取得した音声情報を前記音声出力部２０に出力させる構成である。
【００９４】
上記の構成によれば、前記電源切替部１２が選択している電力供給源と、当該電気機器（空気調和機１）の動作状態と、複数の前記電力供給部（商用電源２、自家発電装置３、蓄電装置４）の状態との組み合わせと当該各組み合わせに対応する音声情報とを電気機器（空気調和機１）に記憶させておく場合に比べて、電気機器（空気調和機１）の構成を簡略化できる。
【００９５】
本発明の態様１１にかかる電気機器管理システム（空調管理システム１００）は、上記態様５に記載の電気機器（空気調和機１）と、前記複数の電力供給部（商用電源２、自家発電装置３、蓄電装置４）の動作を管理する管理装置とを備えている構成である。
【００９６】
上記の構成によれば、電気機器（空気調和機１）が複数の電力供給部（商用電源２、自家発電装置３、蓄電装置４）の状態を示す情報を容易かつ適切に取得することができる。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９８】
１  空気調和機（電気機器）
２  商用電源
３  自家発電装置
４  蓄電装置
５  ＨＥＭＳ制御部（管理装置）
６  サーバ（サーバ装置）
１１  制御部
１２  電源切替部
１２ａ  ＡＣ／ＤＣコンバータ
１２ｂ  ＤＣ／ＤＣコンバータ
１２ｃ  ＤＣ／ＤＣコンバータ
１３  空気調和部
１４  操作入力部
１５  室温センサ
１６  外気温センサ
１７  湿度センサ
１８  照度センサ
１９  発光部
２０  音声出力部
２１  ＨＥＭＳ通信部（第２通信部）
２２  外部通信部（第１通信部）
３０  透光性パネル
３１  蓄電池表示部
３２  自家発電表示部
１００  空調管理システム（電気機器管理システム）
【図１】
0006513538.tif 000002
【図２】
0006513538.tif 000003
【図３】
0006513538.tif 000004
【図４】
0006513538.tif 000005
【図５】
0006513538.tif 000006